(57)【特許請求の範囲】
【請求項１】
検体の筋肉から肉片を採取する採取工程と、
前記採取された肉片を抗原とする固相抗原をプレートに調製するプレート調製工程と、
Kudoa septempunctataを超音波破砕して得られた蛋白質を免疫原として鳥類に属する動物に免疫させた後、当該動物から得られる抗血清からなる１次抗体を、前記調製されたプレートに添加する１次抗体添加工程と、
酵素により標識され、前記１次抗体と結合する２次抗体を、前記調製されたプレートに添加する２次抗体添加工程と、
前記酵素と反応する酵素基質を前記調製されたプレートに添加し、当該酵素と当該酵素基質とが反応して蛍光する蛍光強度から前記検体に寄生する寄生虫を検出する検出工程と、を備える、
ことを特徴とする寄生虫の検出方法。
【請求項２】
前記蛍光強度から、前記検体に寄生する寄生虫の量を測定する寄生虫量測定工程と、
前記測定された寄生虫の量が１．０×１０６〜１．０×１０７以上の場合、毒性を警告する警告工程と、をさらに備える、
ことを特徴とする請求項１に記載の寄生虫の検出方法。
【請求項３】
前記検体は、カレイ目に属する魚である、
ことを特徴とする請求項１又は２に記載の寄生虫の検出方法。
【請求項４】
前記寄生虫は、Kudoa septempunctata又はその亜種である、
ことを特徴とする請求項１乃至３のいずれか１項に記載の寄生虫の検出方法。
【請求項５】
前記１次抗体添加工程では、水酸化アルミニウムを含むアジュバントを、免疫時に前記動物に投与する、
ことを特徴とする請求項１乃至４のいずれか１項に記載の寄生虫の検出方法。
【請求項６】
Kudoa septempunctataを超音波破砕して得られた蛋白質を免疫原として鳥類に属する動物に免疫させた後、当該動物から得られる抗血清からなる抗体と、
前記抗体又は前記抗体と反応する抗原を標識する酵素と、を備える、
ことを特徴とするキット。
【発明の詳細な説明】
【技術分野】
【０００１】
本発明は、寄生虫の検出方法、及び、キットに関する。
【背景技術】
【０００２】
近年、食後数時間程度で一過性の下痢や嘔吐を呈し、軽症で終わる有症事例が報告されている。当該の有症事例は平成１２年以降、中四国（瀬戸内沿岸）において発生が認識され、現在は多くの都道府県において報告されている。有症事例が集積されるに従い、喫食状況の調査結果も蓄積され、原因食品の１つにヒラメが推測されるようになった。平成２０年度に市場に流通しているヒラメを対照に、細菌学的検査及び寄生虫学的検査が行われた。その結果、６０検体中、２検体の腎臓からStreptococcus parauberisが検出され、１検体の筋肉部分から粘液胞子虫の一種、Kudoa属の寄生虫が検出された（非特許文献１参照）。
【０００３】
非特許文献１には、コンベンションＰＣＲ（Polymerase Chain Reaction）及びＲＮＡを用いた定量的ＲＴ−ＰＣＲ（Real Time-PCR）を用いて、検出されたKudoa属寄生虫を対照に、ヒラメ検体を測定したことが開示されている。
【先行技術文献】
【非特許文献】
【０００４】
【非特許文献１】平成２２年６月２１日  厚生労働省医薬食品局食品安全部監視安全課食中毒被害情報管理室  食中毒調査に係る病因物質不明事例の情報提供等に係る中間取りまとめ
【発明の概要】
【発明が解決しようとする課題】
【０００５】
非特許文献１に開示される測定方法（検出方法）では、寄生虫を検出するためにＰＣＲ法を用いているが、ＰＣＲ法は検出処理を行う前に検体を前処理する必要があるため検出処理が煩雑であり、また、検体を測定して当該検体から寄生虫を検出するまでの時間が長い等の問題がある。
【０００６】
本発明は、上記問題に鑑みてなされたものであり、検体から寄生虫を簡便に検出する寄生虫の検出方法、及び、キットを提供することを目的とする。
【課題を解決するための手段】
【０００７】
上記の目的を達成するため、本発明の第１の観点に係る寄生虫の検出方法は、
検体の筋肉から肉片を採取する採取工程と、
前記採取された肉片を抗原とする固相抗原をプレートに調製するプレート調製工程と、
Kudoa septempunctataを超音波破砕して得られた蛋白質を免疫原として鳥類に属する動物に免疫させた後、当該動物から得られる抗血清からなる１次抗体を、前記調製されたプレートに添加する１次抗体添加工程と、
酵素により標識され、前記１次抗体と結合する２次抗体を、前記調製されたプレートに添加する２次抗体添加工程と、
前記酵素と反応する酵素基質を前記調製されたプレートに添加し、当該酵素と当該酵素基質とが反応して蛍光する蛍光強度から前記検体に寄生する寄生虫を検出する検出工程と、を備える、
ことを特徴とする。
【０００８】
前記蛍光強度から、前記検体に寄生する寄生虫の量を測定する寄生虫量測定工程と、
前記測定された寄生虫の量が１．０×１０６〜１．０×１０７以上の場合、毒性を警告する警告工程と、をさらに備えてもよい。
【０００９】
前記検体は、カレイ目に属する魚でもよい。
【００１０】
前記寄生虫は、Kudoa septempunctata又はその亜種でもよい。
【００１１】
前記１次抗体添加工程では、水酸化アルミニウムを含むアジュバントを、免疫時に前記動物に投与してもよい。
【００１２】
本発明の第２の観点に係るキットは、
Kudoa septempunctataを超音波破砕して得られた蛋白質を免疫原として鳥類に属する動物に免疫させた後、当該動物から得られる抗血清からなる抗体と、
前記抗体又は前記抗体と反応する抗原を標識する酵素と、を備える、
ことを特徴とする。
【発明の効果】
【００１３】
本発明によれば、検体から寄生虫を簡便に検出することができる。
【図面の簡単な説明】
【００１４】
【図１】検体の筋肉の位置を説明するための図である。
【図２】酵素免疫測定法により、寄生虫を検出する方法を説明するための図である。
【図３】精製したKudoa septempunctataを示す図である。
【図４】ヒラメ検体からKudoa septempunctataを検出した結果を示す図である。
【図５】細胞の同一部分を撮影した微分干渉像と蛍光像とを示す図である。
【発明を実施するための形態】
【００１５】
本発明は、酵素免疫測定法（ＥＬＩＳＡ（Enzyme-Linked ImmunoSorbent Assay）法）を用いて、検体に寄生する寄生虫を簡便に検出できる寄生虫の検出方法、及び、キットを提供する。ＥＬＩＳＡ法は、検出したい物質（ここでは、寄生虫）を抗体で特異的・選択的に捕捉する手法であり、検出を行う前の前処理（例えば、ｐＨ調製、物質洗浄等）が容易であること、物質を検出するまでの時間が短時間であること、精密で高価な分析機器を用いることなく物質を検出できること等の特徴を有する。このため、ＥＬＩＳＡ法を用いることにより、検体から寄生虫を簡便に検出することができる。
【００１６】
本明細書において「検体」とは、カレイ目に属する魚であり、典型的には、カレイ科のカレイ、ヒラメ科のヒラメ、ウシノシタ科のウシノシタなどの食用魚である。また、本明細書において検体に寄生する「寄生虫」とは、粘液胞子虫の一種であるKudoa属septempunctata（Kudoa septempunctata）及びその亜種である。
【００１７】
（１．検体からの肉片採取）
まず、ＥＬＩＳＡ法に用いる対象物質である検体の肉片を、検体の筋肉から採取する。寄生虫は検体の筋肉に寄生することがわかっているため、検体の筋肉片をＥＬＩＳＡ法に用いる対象物質として用いる。検体の筋肉は、図１の○部分に示す、鰓蓋の裏部分、体幹、背骨と皮の間に走っている筋隔等である。図１に示す検体の眼がある側（有眼側）の筋肉（５ヶ所）、又は、眼がない側（無眼側、有眼側の裏側）の筋肉（５ヶ所）のいずれかから、綿棒やピンセット等を用いて、肉片を採取する。採取する肉片の量は、後述するプレートの数、サイズによって変化するものであり、任意である。なお、検体の筋肉からであれば、図１の○部分に限定されず、任意の部分から肉片を採取できる。
【００１８】
（２．プレートの調製）
次に、採取した肉片を抗原とする固相抗原をプレートに調製する。採取した検体の肉片を、１０％ｇｌｕｃｏｓｅ−ＰＢＳ溶液で懸濁して１０ｗ／ｖ％（weight/volume%）（湿重量）に調製し、破砕機を用いてメタルコーンで乳液状にする。乳液状の肉片を、約４℃で、約５分間、遠心分離して、上清液をＥＬＩＳＡ用プレートに分注する。上清液を分注したプレートを、約４℃で、約１５分間、遠心分離した後、約４℃で、約１６時間放置する。これにより、図２に示すように、検体から採取した抗原をプレート上に固定することにより、プレート上に固相抗原を調製できる。
【００１９】
（３．１次抗体の調製）
次に、固相抗原と反応する１次抗体を調製する。検体の筋肉からパーコール法で精製したKudoa septempunctataの湿重量を測定し、当該Kudoa septempunctataを、５０％グリセリン−ＰＢＳで懸濁して１０ｍｇ（湿重量）／ｍｌ溶液とし、使用時まで約−２０℃で保存する。Kudoa septempunctataを含む懸濁液を、プラスチック試験管に分注し、超音波発生装置のマイクロチップを用いて超音波破砕する。超音波破砕したKudoa septempunctataを含む懸濁液と、懸濁液と等量のアジュバント４０ｍｇ／ｍｌ溶液とを混合して免疫原とし、約１．５ｍｇ（湿重量）の免疫原を鳥類に属する動物（例えば、ニワトリ、七面鳥、ダチョウ、ウズラ等）の胸部に数カ所（例えば、６ヶ所）に分けて免疫する。同様の免疫を、約２週間ごとに３回行った後、全身麻酔した動物の心臓から全採血し、血液を、約４℃で、約１０分間、遠心分離した後、抗血清を得る。得られた抗血清を１次抗体として、固相抗原が調製されたプレートに添加して、室温で、約６０分間、十分反応させる。十分反応させた後、余剰の１次抗体をプレート上から除去する。これにより、図２に示すように、プレート上の固相抗原と当該固相抗原と反応する１次抗体とを結合させることができる。
【００２０】
（４．２次抗体の調製）
次に、酵素により標識され、１次抗体と結合する２次抗体を調製する。２次抗体は、１次抗体を得た動物に依存する。抗血清を得た動物に対応する免疫グロブリンを調製（選択）することにより、２次抗体である免疫グロブリンが、１次抗体を認識することができる。例えば、１次抗体をニワトリから得た場合、２次抗体は、抗ニワトリ免疫グロブリン（例えば、抗ニワトリＩｇＡ、抗ニワトリＩｇＧ、抗ニワトリＩｇＭ等）である。２次抗体を標識する酵素は、例えば、β-ガラクトシダーゼ、ペルオキシダーゼ、アルカリホスファターゼ、ルシフェラーゼである。上述した１次抗体を認識し、酵素により標識された２次抗体を、固相抗原と１次抗体とが反応したプレートに添加して、室温で、約６０分間、十分反応させる。十分反応させた後、余剰の２次抗体をプレート上から除去する。これにより、図２に示すように、固相抗原に結合した１次抗体と当該１次抗体と反応する酵素標識された２次抗体とを結合させることができる。
【００２１】
（５．寄生虫の検出）
次に、酵素基質を添加して、酵素基質と酵素とが反応して蛍光する蛍光強度から検体に寄生する寄生虫を検出する。プレートに添加する酵素基質は、例えば、β-ガラクトシダーゼ用基質（アリール、アルキル-β-D-ガラクトシド、5-ブロモ-4-クロロ-3-インドリルβ-D-ガラクトピラノシド等）、ペルオキシダーゼ用基質（4-アミノフェナゾン、2,4-ジクロロフェノール、4-クロロ-1-ナフトール等）、アルカリホスファターゼ用基質（ニトロブルーテトラゾリウムクロライド、5-ブロモ-4-クロロ-3'-インドリルホスファターゼp-トルイジン塩等）、ルシフェラーゼ用基質（D-ルシフェリン等）である。当該酵素基質を１次抗体及び２次抗体が添加されたプレートに添加して、約３７℃で、約６０分間、反応させた後、蛍光強度をプレートリーダー（蛍光光度計）で測定する。予め測定した基準となるKudoa septempunctataの蛍光強度と測定された蛍光強度と比較することにより、寄生虫（Kudoa septempunctata）を検出する。また、蛍光強度とプレート上の抗原量及び抗体量とは所定の関係（例えば、比例関係）を有するため、プレートリーダーにより測定した蛍光強度から、抗原量（寄生虫の量、数、濃度）を測定する。これにより、図２に示すように、酵素と酵素基質との蛍光反応から、寄生虫を検出し、寄生虫の量を測定できる。
【００２２】
（６．毒性の警告）
動物実験等で得られた毒性を示すデータを用いてリスク評価を行う場合、安全性を確保するために安全係数が用いられる。通常、安全係数として、動物からヒトへの種差に対しての安全性として１０倍、人間の性別、年齢等の個体差に対する安全性として１０倍、両安全性を合わせて見込んで１００倍の値が採用されている。そこで、本発明では、１０〜１００倍の安全係数を採用する。資料（生食用生鮮食品を共通食とする病因物質不明有症事例を巡る経緯  平成２３年４月２５日  厚生労働省医薬食品局食品安全部  監視安全課、URL:http://www.mhlw.go.jp/stf/shingi/2r9852000001ahy8-att/2r9852000001aib5.pdf）には、食中毒の発症に繋がる寄生虫（Kudoa septempunctata）の摂取量（個）が記載されている。この資料では、パーセンタイル値が７５％（クドア摂取量（個）７．２０×１０７）以上である場合に、食中毒を発症することが記載されている。このため、１０〜１００倍の安全係数を採用して、寄生虫の量が１．０×１０６〜１．０×１０７（小数点以下繰り上げ）以上の場合、毒性（食中毒の危険性）を警告する。具体的には、１０倍の安全係数を採用した場合、寄生虫の量が１．０×１０７（≒７．２０×１０７×１／１０）以上で毒性を警告し、１００倍の安全係数を採用した場合、寄生虫の量が１．０×１０６（≒７．２０×１０７×１／１００）以上で毒性を警告する。
【００２３】
（７．寄生虫を検出するためのキット）
本発明のキットは、ＥＬＩＳＡ法を用いて、検体から寄生虫を検出するためのキットである。キットは、Kudoa septempunctataを免疫原として動物に免疫させた後、当該動物から得られる抗血清からなる抗体と、抗体又は抗体と反応する抗原を標識する酵素と、を備える。ここで、動物から得られる抗血清からなる抗体は、上述した１次抗体に相当し、抗体と反応する抗原は、上述した（固相）抗原に相当し、抗体又は抗原を標識する酵素は、上述した酵素基質と反応する酵素に相当する。
【００２４】
次に、キットを使用する方法について説明する。まず、抗血清からなる抗体をプレートに添加する。続いて、検体から採取した肉片を調製して抗原とし、当該抗原を抗体が添加されたプレートに添加する。抗体と抗原とを十分反応させた後、余剰の抗体、抗原を除去する。次に、抗体又は抗原と結合する酵素をプレートに添加して、十分反応させた後、酵素と反応する酵素基質をプレートに添加して、十分反応させる。そして、酵素と酵素基質との反応により発光した蛍光強度を、プレートリーダー等を用いて測定することにより、寄生虫を検出し、また、寄生虫の量を測定する。なお、肉片から抗原を調製する方法は、上述したプレートの調整方法と同様の方法を用いることができる。
【００２５】
以上説明したように、ＥＬＩＳＡ法は検出を行う前の前処理が容易であるため、検体から寄生虫を簡便に検出することができる。また、前処理が容易であるため検出するための準備時間が短く、蛍光強度を測定する時間も短いため、検体から寄生虫を短時間で検出することができる。さらに、ＥＬＩＳＡ法では、精密で高価な分析機器を用いる必要がないため、検体から寄生虫を安価に検出することができる。
【００２６】
なお、本発明は上記実施の形態に限定されず、種々の変形及び応用が可能である。
【００２７】
免疫原を免役させる動物は、鳥類に限定されず、任意の動物（例えば、マウス、ラット、モルモット、ウサギ、ヤギ、ブタ、ウシ、アカゲザル等）を用いることができる。
【００２８】
免疫原の量、免疫原を投与する部位、免疫回数、免疫を行う間隔は、動物の種類、大きさ、心臓の位置等によって任意に変更できる。
【００２９】
抗原に対する免疫応答を増強したり、抗原を生体内に長時間とどまらせたりする役割を果たすアジュバントであれば、種類、量は任意である。
【００３０】
Kudoa septempunctataが寄生した検体の肉はジェリーミート等にはなっておらず、肉眼での検査では無症状であるため、パーコール法によりKudoa septempunctataを精製したが、顕微鏡検査、ＰＣＲ法検査等、任意の方法で、Kudoa septempunctataを精製することもできる。
【００３１】
１次抗体は、Kudoa septempunctata又はその亜種を検出し得る抗体であれば限定されず、例えば、モノクローナル及びポリクローナル抗体、標識化抗体、キメラ抗体、ヒト化抗体並びにこれらの結合活性断片等であってもよい。
【００３２】
２次抗体を標識する酵素は、反応する酵素基質によって変更できるものであり、任意である。
【００３３】
２次抗体を標識する方法は、酵素活性を利用するものに限定されず、オートラジオグラフィー方法、金コロイド法等、任意である。
【００３４】
免疫グロブリンのアイソタイプは、任意である。
【００３５】
任意の動物（例えば、マウス、ラット、モルモット、ウサギ、ヤギ、ブタ、ウシ、アカゲザル等）を用いて、２次抗体を調製することができ、また、２次抗体の免疫動物（２次抗体を調製する際に用いた動物）によって、モノクローナル抗体、ポリクローナル抗体のいずれも調製することもできる。
【００３６】
酵素基質は、酵素と反応して蛍光するもの、化学発光するもの、吸光度が変化するものであれば任意である。
【００３７】
安全係数として、子供や高齢者等のハイリスクグループに対して、より厳しい安全係数として２００〜５００倍の値を採用することもできる。
【００３８】
本発明の寄生虫の検出方法において、酵素は、２次抗体と結合しているが、酵素と酵素基質との蛍光反応によって寄生虫を検出できればよいため、抗体、抗原のどちらと結合していてもよい。
【００３９】
上述した反応条件（温度、時間等）は、抗原、抗体、酵素、酵素基質等の量や種類によって変化するものであり、上述した値に限定されるものではない。
【００４０】
本発明のキットは、直接吸着法、サンドイッチ法、競合法等のいずれのＥＬＩＳＡ法でも使用することができる。また、キットは、緩衝液、発色基質、二次抗体、ブロッキング剤等の試薬を含んでもよい。
【００４１】
以下、実施例を用いて本発明をより詳細に説明するが、実施例は本発明を限定するものでない。
【実施例】
【００４２】
（１．固相抗原プレートの調製）
ＥＬＩＳＡ法で使用する固相抗原プレートを調製した。まず、市場から２０のヒラメ検体を用意し、それぞれのヒラメ検体の筋肉から肉片を採取した。採取したそれぞれの検体の肉片を、１０％ｇｌｕｃｏｓｅ−ＰＢＳ溶液で懸濁して１０ｗ／ｖ％（湿重量）に調製し、破砕機（安井機器製マルチビーズショッカー）及びメタルコーンを用いて、２４００回転、３０秒、５回、４℃の設定で、乳液状にした。乳液状の肉片を、遠心分離器（佐久間製作所製Sakuma M-150IV）及びローター（佐久間製作所製15.2M-18A）を用いて、遠心加速度１９７００Ｇ、５分間，４℃の設定で、遠心分離した、遠心分離した上清液を、ＥＬＩＳＡ用９６穴プレート（BD Falcon製353279）に５０μｌ／ｗｅｌｌずつ分注し、当該プレートを、遠心分離器（佐久間製作所製SakumaR90-23）及びローター（佐久間製作所製HM-25）を用いて、遠心加速度１６００Ｇ、１５分間，４℃の設定で、遠心分離した。遠心分離したプレートを、４℃で、１６時間放置して、ヒラメ検体の肉片を抗原とする固相抗原をプレート上に調製した。これにより、２０のヒラメ検体それぞれについて、抗原がプレートに固定化された、ＥＬＩＳＡ用プレートを得た。
【００４３】
（２．抗クドア抗体の調製）
ＥＬＩＳＡ用プレートに添加する抗クドア抗体を調製した。まず、ヒラメの筋肉（体幹）から、パーコール法により、図３に示すようにKudoa septempunctataを精製した。精製したKudoa septempunctataを、５０％グリセリン−ＰＢＳで懸濁して１０ｍｇ（湿重量）／ｍｌ溶液とし、使用時まで−２０℃で保存した。Kudoa septempunctataを含む懸濁液１ｍｌを、容量１５ｍｌのプラスチック試験管（イワキ製Iwaki2325-015）に分注し、超音波発生装置（ブランソンジャパン製Branson model 185）のマイクロチップを用いて、パワー１．５、２０秒、３回の設定で、超音波破砕した。超音波破砕した懸濁液に含まれるKudoa septempunctataの蛋白質量を、ビシンコニン酸法（ＢＣＡ 法）により、１０ｍｇ／ｍｌ（湿重量）＝３２μｇ／ｍｌ（血清アルブミン溶液相当）として、プロテインアッセイキット（Pierce製BCA Protein Assay kit製品番号23225）及びマイクロプレートリーダー（Thermo Scientific製Model 680）を用いて測定した。Kudoa septempunctataの蛋白質量と等量のアジュバント４０ｍｇ／ｍｌ溶液（Thermo Scientific製Imject Alum 77161）とを混合して免疫原とし、１．５ｍｇ（湿重量）の免疫原をニワトリ（日本白色種、１２ 週齢、雌）の胸部に６ヶ所に分けて免疫した。同様の免疫を、２週間ごとに３回行った後、ペントバルビタールナトリウムを投与して全身麻酔したニワトリの心臓から全採血し、血液を、遠心分離器（佐久間製作所製Sakuma M-150 IV）及びローター（佐久間製作所製50F-4A）を用いて、遠心加速度３５００Ｇ、１０分間，４℃の設定で、遠心分離した後、ニワトリ抗血清を得た。得られたニワトリ抗血清は、抗クドア抗体である１次抗体である。
【００４４】
（３．ＥＬＩＳＡ法による測定）
得られたニワトリ抗血清を２０００倍に希釈し、ＥＬＩＳＡ用プレートに５０μｌ／ｗｅｌｌずつ分注し、室温で、６０分間、反応させた後、プレートウォッシャー（バイオテック製Sera Washer Model MW-96W）を用いて、余剰のニワトリ抗血清をプレート上から除去した。２次抗体であるβ-ガラクトシダーゼ−ヤギ抗ニワトリＩｇＧ（American Qualex製goat anti-chicken IgG (H&L) -β- galactosidase 製品番号 A176GN）を１０００倍に希釈し、ＥＬＩＳＡ用プレートに５０μｌ／ｗｅｌｌずつ分注し、室温で、６０分間、反応させた後、プレートウォッシャー（バイオテック製Sera Washer Model MW-96W）を用いて、余剰のβ-ガラクトシダーゼ−ヤギ抗ニワトリＩｇＧをプレート上から除去した。酵素基質として０．１ｍＭの４−メチルウンベリフェリル β−Ｄ−ガラクトピラノシド（Sigma製 製品番号M1633）、０．１Ｍの２−メルカプトエタノール（ナカライテスク製、製品番号21418-42）をＥＬＩＳＡ用プレートに１００μｌ／ｗｅｌｌずつ分注し、３７℃で、６０分間、酵素であるβ-ガラクトシダーゼと反応させた。プレートリーダー（蛍光：パーキンエルマー製Arvo SX）を用いて、測定時間０．１秒、励起波長３５５ｎｍ、蛍光波長４６０ｎｍの設定で、蛍光強度を測定した。また、該当するヒラメ検体について、顕微鏡を用いて、検体の肉片１グラム当たりのKudoa septempunctataの個数を測定した。
【００４５】
図４は、測定結果を示す図である。図４中において、ヒラメ検体番号（hirame sup.）２１は、Kudoa septempunctataが寄生したヒラメ検体から肉片を採取した場合の蛍光強度（陽性コントロール）であり、ヒラメ検体番号２２は、Kudoa septempunctataが寄生していないヒラメ検体から肉片を採取した場合の蛍光強度（陰性コントロール）であり、ヒラメ検体番号２３（Kudoa）は、Kudoa septempunctataのみの蛍光強度である。
【００４６】
図４に示すように、ヒラメ検体番号２、３、６、７、１３、１４、１６、１７の蛍光強度は、陽性コントロールが示す蛍光強度と同等又それ以上であった。このため、これらのヒラメ検体には、Kudoa septempunctataが寄生していることがわかった。一方、ヒラメ検体番号１、４、５、８〜１２、１５、１８〜２０の蛍光強度は、陰性コントロールが示す蛍光強度と同等又はそれ以下であった。このため、これらのヒラメ検体には、Kudoa septempunctataが寄生していない、または、寄生していても数（量）が少ないため毒性を示さないことがわかった。
【００４７】
また、ヒラメ検体番号２、３、４、６、７、１３、１４、１６、１７、１９について、ヒラメの筋肉片１グラム当たりの寄生虫の数を、顕微鏡を用いて測定した。その結果、図４に示すように、ヒラメの筋肉片１グラム当たりのKudoa septempunctataの数が３００（×１０３Kudoa/g）以上であるヒラメ検体の蛍光強度は、陽性コントロールが示す蛍光強度と同等又はそれ以上であった。このため、ヒラメの筋肉片１グラム当たりのKudoa septempunctataの数が３．００×１０５以上である場合、当該ヒラメを喫食すると、食中毒の危険性があることがわかった。
【００４８】
（４．抗クドア抗体の特異性の確認）
次に、抗原抗体反応により、ニワトリ抗血清から得られた抗クドア抗体が、Kudoa septempunctataを特異的に認識するかを確認した。まず、下痢症状のモデルとして使用されるヒト結腸癌由来の細胞株Caco-2細胞に感染させたKudoa septempunctataを、非蛍光下で微分干渉顕微鏡を用いて観察（確認）した。図５の微分干渉像に示すように、微分干渉像の矢印部にKudoa septempunctataが存在することを確認した。続いて、蛍光標識された抗クドア抗体と反応させたKudoa septempunctataを、蛍光下で蛍光顕微鏡を用いて観察した。抗原抗体反応により、抗クドア抗体がKudoa septempunctataを認識した場合、Kudoa septempunctataが存在する位置が蛍光するはずである。図５の蛍光像に示すように、微分干渉像の矢印部と同位置に、蛍光部（着色部）を確認した。このため、抗クドア抗体が、抗原であるKudoa septempunctataを特異的に認識することがわかった。また、抗クドア抗体を用いて抗原抗体反応により、Kudoa septempunctataを検出できることがわかった。
【００４９】
以上の結果から、ヒラメの筋肉にKudoa septempunctataが寄生していることが明らかとなった。また、免疫原を投与する動物としてニワトリが有用であることが明らかとなった。また、ＥＬＩＳＡ法を用いて、検体から寄生虫を検出できることが明らかとなった。また、肉片１グラム当たり３．００×１０５以上の寄生虫が寄生している検体を喫食した場合、食中毒の危険性があることが明らかとなった。
【図２】
0005830771.tif 000002
【図４】
0005830771.tif 000003
【図１】
0005830771.tif 000004
【図３】
0005830771.tif 000005
【図５】
0005830771.tif 000006